(57)【要約】【課題】トイレルームの収納構造を、コンパクトにかつコストを抑えて提供する。【解決手段】トイレルームの収納構造は、トイレルームの壁面９に固定されるカウンター１と、カウンター１の下方で壁面９に固定される支持部材２と、支持部材２に回転自在に支持される収納箱３を備える。収納箱３は、第一姿勢と第二姿勢の間で、自身の回転により姿勢変更自在である。第一姿勢にあるときの収納箱３の開口は、平面視においてカウンター１に隠れて位置する。【選択図】図１
2018108181.tif 000002
【特許請求の範囲】
【請求項１】
トイレルームの壁面に固定されるカウンターと、
前記カウンターの下方で前記壁面に固定される支持部材と、
収納物を出し入れ可能な開口を上部に有し、前記支持部材に回転自在に支持される収納箱と、を備え、
前記収納箱は、
前記開口が前記壁面に最も接近する第一姿勢と、前記開口が前記壁面から最も離れる第二姿勢との間で、自身の回転により姿勢変更自在であり、
前記第一姿勢にあるときの前記収納箱の前記開口は、平面視において前記カウンターに隠れて位置し、
前記第二姿勢にあるときの前記収納箱の前記開口は、平面視において前記カウンターから外れて位置する
ことを特徴とするトイレルーム用の収納構造。
【請求項２】
前記支持部材は、
前記第一姿勢にあるときの前記収納箱が載せられる底壁を備え、
前記底壁は、前記収納箱が回転自在に引っ掛かる引掛け部を有する
ことを特徴とする請求項１に記載のトイレルーム用の収納構造。
【請求項３】
前記支持部材は、
前記第一姿勢にあるときの前記収納箱の両側方を覆う一対の側壁を備え、
各側壁は、前記収納箱の回転範囲を規制する規制部を有する
ことを特徴とする請求項１に記載のトイレルーム用の収納構造。
【発明の詳細な説明】
【技術分野】
【０００１】
本発明は、トイレルーム用の収納構造に関する。
【背景技術】
【０００２】
従来、トイレルームの壁面にキャビネットを備えることが提案されている。たとえば特許文献１には、カウンターの上方にキャビネットを固定し、このキャビネットの側板を、水平面内で回動可能な扉として構成することが記載されている。
【先行技術文献】
【特許文献】
【０００３】
【特許文献１】特開２００８−６７８８０号公報
【発明の概要】
【発明が解決しようとする課題】
【０００４】
上記した従来の収納構造では、カウンターの上方にキャビネットが設置されるので、トイレルームにおいて使用者に圧迫感を与えやすいという問題や、コストを抑えにくいという問題があった。
【０００５】
本発明は、使用者に圧迫感を与えにくく、かつコストを抑えることのできるトイレルームの収納構造を提供することを、目的とする。
【課題を解決するための手段】
【０００６】
本発明の一様態に係るトイレルーム用の収納構造は、トイレルームの壁面に固定されるカウンターと、前記カウンターの下方で前記壁面に固定される支持部材と、収納物を出し入れ可能な開口を上部に有し、前記支持部材に回転自在に支持される収納箱と、を備える。
【０００７】
前記収納箱は、前記開口が前記壁面に最も接近する第一姿勢と、前記開口が前記壁面から最も離れる第二姿勢との間で、自身の回転により姿勢変更自在であり、前記第一姿勢にあるときの前記収納箱の前記開口は、平面視において前記カウンターに隠れて位置し、前記第二姿勢にあるときの前記収納箱の前記開口は、平面視において前記カウンターから外れて位置する。
【発明の効果】
【０００８】
本発明は、使用者に圧迫感を与えにくく、かつコストを抑えることのできるトイレルームの収納構造を提供することができるという効果を奏する。
【図面の簡単な説明】
【０００９】
【図１】図１は、一実施形態のトイレルーム用の収納構造を示す斜視図である。
【図２】図２は、同上の収納構造において収納箱を引き出した状態を示す斜視図である。
【図３】図３は、同上の収納構造の支持部材と収納箱を示す斜視図である。
【図４】図４は、同上の収納構造の支持部材と収納箱の分解斜視図である。
【発明を実施するための形態】
【００１０】
一実施形態のトイレルーム用の収納構造（以下、これを「一実施形態の収納構造」という。）について、図１〜図４に基づいて説明する。
【００１１】
図１に示すように、トイレルームの壁面９には、カウンター１が設置されている。カウンター１は、一直線状に伸びる矩形状の板材で構成されている。カウンター１の長手方向は、壁面９に沿いかつ水平な方向である。
【００１２】
トイレルームの壁面９には、支持部材２、収納箱３、ペーパーホルダー７および手洗い装置８が、さらに設置されている。
【００１３】
まず、ペーパーホルダー７と手洗い装置８について説明する。
【００１４】
ペーパーホルダー７は、ロール状のトイレットペーパー（図示略）を回転自在にかつ着脱自在に保持するように構成されたホルダーであり、カウンター１の下方に二つ並んで設置されている。ペーパーホルダー７は一つだけ設置されてもよいし、３つ以上設置されてもよい。
【００１５】
手洗い装置８は、水栓８１、手洗いボウル８２、排水パイプ８３、およびパイプカバー８４を備える。水栓８１は、手洗い用の水を下方（斜め下方）にむけて吐出するように構成されている。手洗いボウル８２は、水栓８１から吐出された水を受けるように構成されている。手洗いボウル８２が受けた水は、排水パイプ８３に送られる。
【００１６】
排水パイプ８３は、カウンター１の下方において壁面９に沿って設置されている。排水パイプ８３のうちカウンター１と平行に配される部分は、パイプカバー８４で覆われている。パイプカバー８４は、カウンター１と平行な姿勢で壁面９に設置されている。本文中で用いる平行の文言は、厳密な意味での平行に限定されず、略平行な場合も含む。
【００１７】
次に、支持部材２について説明する。
【００１８】
支持部材２は、収納箱３を所定範囲内で回転自在に支持する部材であり、カウンター１の下方に位置するように壁面９に固定されている。
【００１９】
支持部材２は、上方と前方に開口した箱型の部材である。ここで用いる前方は、水平面上において、壁面９に対してカウンター１が位置する方向（図中の矢印Ｄ１の方向）である。水平面上において前方と直交する方向が左右方向である。
【００２０】
図３、図４等に示すように、支持部材２は、矩形板状の底壁２１と、底壁２１の左右の両側端部から起立した一対の側壁２２と、底壁２１の後端部から起立した後壁２３を、一体に備える。各側壁２２と後壁２３はそれぞれ矩形板状である。一対の側壁２２と後壁２３は、平面視においてコ字状に連続し、平面視コ字状の周壁２９を形成している。
【００２１】
底壁２１は、収納箱３が回転自在に引っ掛かるように構成された引掛け部２５を備えている（図４参照）。引掛け部２５は、左右方向に伸びる棒状に形成された一対の支軸部２５１と、底壁２１の前側の両角部分にそれぞれ形成された一対の切欠き２５３を有する。一対の支軸部２５１は、それぞれ丸棒状のピンであり、一対の切欠き２５３のそれぞれにおいて左右に一直線状に架け渡されている。つまり支持部材２の引掛け部２５は、底壁２１の前端部分に設けられている。
【００２２】
左右の各側壁２２は、収納箱３の回転範囲を規制するように構成された規制部２６を備えている。規制部２６は、上側が凸の円弧状の溝２６１で構成されている。溝２６１は、左右方向から視たときに、支軸部２５１を中心として描かれる円弧に沿った外形を有する。溝２６１のうち、前側の端部が最も高く位置し、後側の端部が最も低く位置する。
【００２３】
溝２６１は、一対の側壁２２の互いに対向する内面に形成された有底溝である。溝２６１は、側壁２２を左右方向に貫通するように形成されてもよい。
【００２４】
後壁２３は、支持部材２を壁面９に固定するために用いられる複数（四つ）の固定孔２７を備えている。各固定孔２７に挿し込まれた固定具２８（図４参照）が壁面９に固定されることで、支持部材２が壁面９に固定される。
【００２５】
次に、収納箱３について説明する。
【００２６】
収納箱３は、上方に開口した箱型の部材であり、支持部材２に対して水平軸Ａ１まわり（支軸部２５１まわり）に回転自在に支持される。
【００２７】
収納箱３は、矩形板状の底壁３１と、底壁３１の左右の両側端部から起立した一対の側壁３２と、底壁３１の後端部から起立した後壁３３と、底壁３１の前端部から起立した前壁３４を、一体に備える。
【００２８】
各側壁３２と後壁３３と前壁３４はそれぞれ矩形板状である。ただし各側壁３２の上端縁は一直線状ではなく、凸曲線状に形成されている。図４に示すように、各側壁３２の上端縁の前半部３２１が、底壁３１に平行な一直線状の形状を有し、各側壁３２の上端縁の後半部３２２が、後側の部分ほど底壁３１に近づくように緩やかに曲がった円弧状の形状を有する。
【００２９】
一対の側壁３２、後壁３３および前壁３４は、周方向に連続することで平面視矩形状の周壁３９を形成している。収納箱３の上部の開口３０は、周壁３９の上縁部に囲まれて位置する。
【００３０】
底壁３１は、支持部材２の引掛け部２５に対して回転自在に引っ掛かるように構成された引掛け部３５を備えている。引掛け部３５は、円弧状に形成された一対のアーム３５１を有する。一対のアーム３５１は、それぞれ底壁３１の一部を下方に切り起こし、かつ円弧状に曲げることで、棒状の支軸部２５１に対して回転自在に引っ掛かるように形成されている。
【００３１】
左右の各側壁３２は、対応する側壁２２の規制部２６にスライド自在に引っ掛かるように構成された規制部３６を備えている。規制部３６は、側壁３２から外側に突出する突起３６１で構成されている。突起３６１は、収納箱３の前後の回転に伴って、左右方向から視て円弧状の軌跡で前後に移動する。突起３６１の移動は、溝２６１の両端に当たることで、所定範囲内に規制される。
【００３２】
底壁３１からの周壁３９の各部分の高さにおいて、前壁３４の高さは後壁３３の高さよりも所定の寸法ｄ１（図４参照）だけ高く設定されている。前壁３４の上端縁の左右中央には、指を引っ掛けることができる切欠き３４５が形成されている。前壁３４の下端縁は、底壁３１から所定の寸法ｄ２（図４参照）だけ下方に突出している。
【００３３】
上記の構成を備える収納箱３は、支持部材２に対して所定範囲内で前後に回転することで、図１に示す第一姿勢Ｐ１と、図２に示す第二姿勢Ｐ２の間で、姿勢変更が自在である。
【００３４】
第一姿勢Ｐ１は、収納箱３の上部の開口３０が壁面９に最も接近する姿勢である。収納箱３が第一姿勢Ｐ１にあるとき、開口３０はカウンター１で覆われた（蓋をされた）状態となる。つまり、平面視において開口３０はカウンター１に隠れて位置する。
【００３５】
収納箱３が第一姿勢Ｐ１にあるとき、支持部材２が有する底壁２１の上面に収納箱３の底壁３１が載置され、支持部材２の両側壁２２が収納箱３の両側方を覆い隠す状態となる。このとき、収納箱３の前壁３４は、正面視において支持部材２の全体を覆うように位置する。
【００３６】
第二姿勢Ｐ２は、収納箱３の上部の開口３０が壁面９から最も離れる（最も前方に位置する）姿勢である。収納箱３が第二姿勢Ｐ２にあるとき、開口３０はカウンター１で覆われない状態（収納物を出し入れできるように開口３０が露出した状態）となる。つまり、平面視において開口３０はカウンター１から前方に外れて位置する。
【００３７】
一実施形態の収納構造では、カウンター１の下方において、支持部材２および収納箱３と、二つのペーパーホルダー７が、左右方向に一列に並んで位置する。支持部材２および収納箱３と、二つのペーパーホルダー７は、カウンター１とパイプカバー８４の間に位置する。
【００３８】
このように、一実施形態の収納構造は、限られたスペースにおいて効率的に設置されている。また、収納箱３はカウンター１と一体的に視認され、かつ、カウンター１によって隠れるように配置されている。したがって、一実施形態の収納構造は、トイレルーム内において使用者に圧迫感を与えにくい構造である。
【００３９】
加えて、一実施形態の収納構造では、カウンター１の一部を、収納箱３の開口３０を覆う天板として利用しているので、構造が簡素化されてコストも抑えられる。また、収納箱３はカウンター１の下方位置からカンガルーポケットのように動作して前方に引き出されるので、小物類を出し入れする際の使い勝手も良好である。
【００４０】
以上、添付図面に基づいて説明したように、一実施形態の収納構造は、第一の特徴として下記の構成を具備する。
【００４１】
つまり、一実施形態の収納構造は、トイレルームの壁面９に固定されるカウンター１と、
カウンター１の下方で壁面９に固定される支持部材２と、収納物を出し入れ可能な開口３０を上部に有し、支持部材２に回転自在に支持される収納箱３を備える。
【００４２】
収納箱３は、開口３０が壁面９に最も接近する第一姿勢Ｐ１と、開口３０が壁面９から最も離れる第二姿勢Ｐ２との間で、自身の回転により姿勢変更自在である。第一姿勢Ｐ１にあるときの収納箱３の開口３０は、平面視においてカウンター１に隠れて位置する。第二姿勢Ｐ２にあるときの収納箱３の開口３０は、平面視においてカウンター１から外れて位置する。
【００４３】
したがって、一実施形態の収納構造によれば、支持部材２と収納箱３がカウンター１の下方にコンパクトに配置されるので、トイレルーム内において使用者に圧迫感を与えにくい。加えて、カウンター１を利用して収納箱３の開口３０を覆うことができ、天板を別途設ける必要がないので、コストが抑えられる。また、収納箱３を簡単に回転させることができ、使用者にとっては出し入れ操作が簡単である。
【００４４】
一実施形態の収納構造は、第二の特徴として下記の付加的な構成を具備する。
【００４５】
つまり、一実施形態の収納構造において、支持部材２は、第一姿勢Ｐ１にあるときの収納箱３が載せられる底壁２１を備える。底壁２１は、収納箱３が回転自在に引っ掛かる引掛け部２５を有する。
【００４６】
したがって、一実施形態の収納構造によれば、カウンター１を利用した収納構造が、トイレルームにおいて機能的にかつシンプルに形成される。
【００４７】
一実施形態の収納構造は、第三の特徴として下記の付加的な構成を具備する。
【００４８】
つまり、一実施形態の収納構造において、支持部材２は、第一姿勢Ｐ１にあるときの収納箱３の両側方を覆う一対の側壁２２を備える。各側壁２２は、収納箱３の回転範囲を規制する規制部２６を有する。
【００４９】
したがって、一実施形態の収納構造によれば、カウンター１を利用した収納構造が、トイレルームにおいて機能的にかつシンプルに形成される。
【００５０】
以上、トイレルーム用の収納構造が備える各構成について、一実施形態に基づいて説明したが、各構成は上述した形態に限定されず、各構成において適宜の設計変更を行うことや、公知の技術を組み合わせることが可能である。
【符号の説明】
【００５１】
１  カウンター
２  支持部材
２１  底壁
２２  側壁
２５  引掛け部
２６  規制部
３  収納箱
３０  開口
９  壁面
Ｐ１  第一姿勢
Ｐ２  第二姿勢
【図１】
2018108181.tif 000003
【図２】
2018108181.tif 000004
【図３】
2018108181.tif 000005
【図４】
2018108181.tif 000006